(57)【特許請求の範囲】
【請求項１】
貴重品の所有者が所持する携帯端末と，前記携帯端末と無線接続し，前記貴重品に取り付けられる紛失防止タグとから少なくとも構成されたシステムであって，
前記携帯端末は，前記紛失防止タグの識別に用いるタグ識別子に関連付けて，前記貴重品を紛失したことを知らせる紛失発生通知のテンプレートと，前記紛失発生通知を投稿するＳＮＳのアカウント情報を記憶し，
前記紛失防止タグとの無線接続が切断すると，無線接続が切断した前記紛失防止タグの前記タグ識別子に関連付けられている前記テンプレートを利用して前記紛失発生通知を生成した後，この前記タグ識別子に関連付けられている前記アカウント情報を利用して，前記ＳＮＳへ前記紛失発生通知を投稿する処理を実行する紛失監視部を備えている，
ことを特徴とする紛失防止システム。
【請求項２】
前記携帯端末は，前記タグ識別子に関連付けて，前記タグ識別子を記憶した前記紛失防止タグを取り付けた前記貴重品の写真を記憶し，前記携帯端末の前記紛失監視部は，前記テンプレートにて写真の通知が示される場合，無線接続が切断した前記紛失防止タグの前記タグ識別子に関連付けられている前記貴重品の写真を前記紛失発生通知に含ませる，
ことを特徴とする，請求項１に記載した紛失防止システム。
【請求項３】
前記携帯端末は，前記携帯端末の位置情報を計測する位置計測部を備え，前記携帯端末の前記紛失監視部は，前記テンプレートにて位置情報の通知が示される場合，前記紛失発生通知を前記ＳＮＳに投稿する前に，前記位置計測部から位置情報を取得し，前記位置計測部から取得した位置情報を前記紛失発生通知に含ませる，
ことを特徴とする，請求項１または請求項２に記載した紛失防止システム。
【請求項４】
前記携帯端末の前記紛失監視部は，前記ＳＮＳに加え，前記携帯端末に設定されている公共機関に対して前記紛失発生通知を送信する，
ことを特徴とする，請求項１から請求項３のいずれか一項に記載した紛失防止システム。
【請求項５】
請求項１から請求項４のいずれか一項に記載した携帯端末。
【発明の詳細な説明】
【技術分野】
【０００１】
本発明は，紛失防止タグを利用して，置き忘れなどによる貴重品の紛失を防止するシステムに関する。
【背景技術】
【０００２】
貴重品の紛失防止に用いる紛失防止タグが市販されている。特許文献１に記載があるように，紛失防止タグは，貴重品の所有者が携帯する携帯端末（好適にはスマートフォン）と無線通信し，携帯端末は，貴重品に取り付けられた紛失防止タグと無線通信して，貴重品の紛失を監視する。
【０００３】
携帯端末が紛失防止タグと無線通信できなくなることは，紛失防止タグを取り付けた貴重品が貴重品の所有者から離れたことを意味するため，携帯端末が紛失防止タグと無線通信できなくなると，携帯端末は，貴重品の紛失を知らせるアラームを報知する。
【０００４】
携帯端末が紛失防止タグと無線通信できなくなる距離は，携帯端末および紛失防止タグが用いる無線通信の有効範囲に依存する。例えば，特許文献１のように，ＵＨＦ帯を利用するＩＣタグを紛失防止タグとして用いる場合，無線通信の有効範囲は数ｍになる。また，特許文献２のように，Ｂｌｕｅｔｏｏｔｈ（登録商標）に対応した紛失防止タグを用いる場合，ＵＨＦ帯を利用するＩＣタグを紛失防止タグとして用いるときよりもこの距離は長くなる。例えば，Ｂｌｕｅｔｏｏｔｈ（登録商標）のＣｌａｓｓ１に対応している紛失防止タグの場合，この距離は１００ｍ程度になる。
【０００５】
近年，Ｂｌｕｅｔｏｏｔｈ（登録商標）の低消費電力化が進んだことを受けて，Ｂｌｕｅｔｏｏｔｈ（登録商標）に対応した紛失防止タグが増えている。Ｂｌｕｅｔｏｏｔｈ（登録商標）に対応した紛失防止タグを利用する場合，携帯端末が紛失防止タグと無線通信できなくなる距離は長くなるため，携帯端末がアラームを報知しても，紛失防止タグを取り付けた貴重品の近傍に所有者がいるとは限らず，紛失防止タグを取り付けた貴重品を所有者が発見できないケースが発生する。
【先行技術文献】
【特許文献】
【０００６】
【特許文献１】特開２００４−８６４１１号公報
【特許文献２】特開２０１５−１３８９８３号公報
【発明の概要】
【発明が解決しようとする課題】
【０００７】
そこで，本発明は，携帯端末が紛失防止タグと無線通信できなった際，所有者の家族や友人などにその旨を通知できるシステムを提供することを目的とする。
【課題を解決するための手段】
【０００８】
上述した課題を解決する第１の発明は，貴重品の所有者が所持する携帯端末と，前記携帯端末と無線接続し，前記貴重品に取り付けられる紛失防止タグとから少なくとも構成されたシステムであって，前記携帯端末は，前記紛失防止タグの識別に用いるタグ識別子に関連付けて，前記貴重品を紛失したことを知らせる紛失発生通知のテンプレートと，前記紛失発生通知を投稿するＳＮＳのアカウント情報を記憶し，前記紛失防止タグとの無線接続が切断すると，無線接続が切断した前記紛失防止タグの前記タグ識別子に関連付けられている前記テンプレートを利用して前記紛失発生通知を生成した後，この前記タグ識別子に関連付けられている前記アカウント情報を利用して，前記ＳＮＳへ前記紛失発生通知を投稿する処理を実行する紛失監視部を備えていることを特徴とする紛失防止システムである。
【０００９】
第２の発明は，第１の発明に記載した紛失防止システムにおいて，前記携帯端末は，前記タグ識別子に関連付けて，前記タグ識別子を記憶した前記紛失防止タグを取り付けた前記貴重品の写真を記憶し，前記携帯端末の前記紛失監視部は，前記テンプレートにて写真の通知が示される場合，無線接続が切断した前記紛失防止タグの前記タグ識別子に関連付けられている前記貴重品の写真を前記紛失発生通知に含ませることを特徴とする。
【００１０】
第３の発明は，第１の発明または第２の発明に記載した紛失防止システムにおいて，前記携帯端末は，前記携帯端末の位置情報を計測する位置計測部を備え，前記携帯端末の前記紛失監視部は，前記テンプレートにて位置情報の通知が示される場合，前記紛失発生通知を前記ＳＮＳに投稿する前に，前記位置計測部から位置情報を取得し，前記位置計測部から取得した位置情報を前記紛失発生通知に含ませることを特徴とする。
【００１１】
第４の発明は，第１の発明から第３の発明のいずれか一つに記載した紛失防止システムにおいて，前記携帯端末の前記紛失監視部は，前記ＳＮＳに加え，前記携帯端末に設定されている公共機関に対して前記紛失発生通知を送信することを特徴とする。
【００１２】
第５の発明は，第１の発明から第３の発明のいずれか一つに記載した携帯端末である。
【発明の効果】
【００１３】
上述した本発明によれば，前記携帯端末は，前記紛失防止タグとの無線接続が切断すると，前記所有者が利用している前記ＳＮＳへ，前記貴重品を紛失したことを知らせる紛失発生通知を投稿するため，前記所有者の家族や友人などに前記貴重品の紛失発生を通知できる。
【図面の簡単な説明】
【００１４】
【図１】紛失防止システムの構成を説明する図。
【図２】紛失防止タグのブロック図。
【図３】携帯端末のブロック図。
【図４】紛失防止タグのタグ識別子を設定する画面を説明する図。
【図５】貴重品を設定する画面を説明する図。
【図６】紛失発生通知を投稿するＳＮＳを設定する画面を説明する図。
【図７】ＳＮＳのアカウント情報を設定する画面を説明する図。
【図８】紛失発生通知を投稿する公共機関を設定する画面を説明する図。
【図９】紛失防止システムで実行される処理を説明する図。
【図１０】発見御礼通知をＳＮＳに投稿する処理を説明する図。
【発明を実施するための形態】
【００１５】
ここから，本発明の好適な実施形態を記載する。なお，以下の記載は本発明の技術的範囲を束縛するものでなく，理解を助けるために記述するものである。
【００１６】
図１は，本実施形態に係る紛失防止システム１の構成を説明する図である。図１に図示したように，本実施形態に係る紛失防止システム１は，貴重品３ａに取り付けた紛失防止タグ３と，紛失防止タグ３を取り付けた貴重品３ａの所有者２ａが所持する携帯端末２を含む。図１では，これらに加え，所有者２ａが利用しているＳＮＳ４（Social Networking Service）と，所有者２ａのアカウントをフォローしているフォロワー５ａ（所有者２ａの家族や友人）の携帯端末５と，公共機関６（図１では，警察署）を図示している。
【００１７】
本実施形態に係る紛失防止システム１において，所有者２ａが所持する携帯端末２は，貴重品３ａに取り付けられた紛失防止タグ３と無線接続して貴重品３ａの紛失を監視し，紛失防止タグ３との無線接続が切断すると，貴重品３ａの紛失を知らせるアラームを報知する処理を実行し，貴重品３ａの紛失を所有者２ａに知らせる。
【００１８】
更に，本実施形態において，携帯端末２は，紛失防止タグ３との無線接続が切断すると，所有者２ａのアカウントに対し貴重品３ａを紛失したことを知らせる紛失発生通知を投稿し，ＳＮＳ４を介して，所有者２ａが所持する貴重品３ａの紛失がフォロワー５ａの携帯端末５に通知される。フォロワー５ａが所有者２ａの傍に居れば，貴重品３ａの紛失を所有者２ａのフォロワー５ａに知らせることで，所有者２ａが紛失した貴重品３ａをフォロワー５ａに捜索してもらうことができる。
【００１９】
まず，本実施形態に係る紛失防止システム１を構成する紛失防止タグ３について説明する。図２は，紛失防止タグ３のブロック図である。紛失防止タグ３は市販品を利用することができ，図２に図示したように，本発明に係る紛失防止タグ３は，無線通信部３１，制御部３０および電源スイッチ３２を備え，図示していない電池から電力が供給される構造になっている。
【００２０】
紛失防止タグ３の無線通信部３１は，携帯端末２との無線接続に用いられる機能で，無線通信用のＩＣと無線通信用のアンテナとから少なくとも構成される。なお，本実施形態において，無線通信とは，通信距離が１００ｍ程度までの近距離無線通信を意味し，このような近距離無線通信としては低消費電力のＢｌｕｅｔｏｏｔｈ（登録商標）を用いるのが好適である。
【００２１】
紛失防止タグ３の電源スイッチ３２は，図示していない電池からの電力供給を制御する機能で，紛失防止タグ３の電源スイッチ３２が「ＯＮ」に設定されているときのみ，図示していない電池から電力が供給され，無線通信部３１および制御部３０が作動する。
【００２２】
紛失防止タグ３の制御部３０は，紛失防止タグ３の動作を制御する機能で，紛失防止タグ３に実装されたＣＰＵを動作させるコンピュータプログラムにより実現される。紛失防止タグ３の制御部３０は，紛失防止タグ３の識別に用いられるタグ識別子を記憶する。紛失防止タグ３の制御部３０は，紛失防止タグ３の電源が「ＯＮ」になると，無線通信部３１を利用してタグ識別子を発信し，タグ識別子を受信した携帯端末２から接続要求を無線通信部３１が受信すると，紛失防止タグ３が対応している近距離無線通信の接続確立処理を実行して，携帯端末２と無線接続する。
【００２３】
次に，本実施形態に係る紛失防止システム１を構成する携帯端末２について説明する。図３は，所有者２ａが所持する携帯端末２のブロック図である。携帯端末２は，スマートフォンや携帯電話などを利用して実現される端末装置で，図３に図示したように，無線通信部２２，移動体通信部２３，位置計測部２４，タッチパネル部２５，カメラ部２６，紛失監視部２０およびタグ設定部２１を備え，図示していない電池から電力が供給される構造になっている。
【００２４】
携帯端末２の無線通信部２２は，紛失防止タグ３との無線通信に用いられる機能で，無線通信用のＩＣと無線通信用のアンテナとから少なくとも構成される。携帯端末２と紛失防止タグ３が無線通信できるために，携帯端末２の無線通信部２２が対応する近距離無線通信は紛失防止タグ３と同じになる。
【００２５】
携帯端末２の移動体通信部２３は，移動体通信事業者が運営している移動体通信網を利用して通信するための機能で，具体的な内容はスマートフォンの移動体通信機能と同じであるため，ここでは詳細な説明を省く。
【００２６】
携帯端末２の位置計測部２４は，携帯端末２の位置情報を計測する機能である。携帯端末２の位置情報を計測する手法として，ＧＰＳ（Global Positioning System）を利用する手法もあるが，移動体通信網を利用して位置情報を検出する手法を用いるのが好適である。
【００２７】
携帯端末２のタッチパネル部２５は，表示デバイスとして機能する液晶ディスプレイと，入力デバイスとして機能するタッチデバイスが組み合わされ，指で操作できるように構成されたデバイスである。
【００２８】
携帯端末２のカメラ部２６は，写真を撮影するときに用いられる機能で，レンズや光学素子を有するカメラと，カメラを制御するコンピュータプログラムで実現される。
【００２９】
携帯端末２のタグ設定部２１は，携帯端末２にインストールされた紛失防止に係るアプリケーションで実現される機能である。携帯端末２のタグ設定部２１は，紛失発生通知のテンプレートと紛失発生通知を投稿するＳＮＳ４を紛失防止タグ３ごとに設定できるように，所有者２ａが紛失防止に使用する紛失防止タグ３と，紛失防止タグ３を用いて管理する貴重品３ａと，紛失発生通知を投稿するＳＮＳ４と，紛失発生通知のテンプレートをそれぞれ設定するための複数の画面を有し，この画面を切り替えながら，所有者２ａにこれらの内容を設定させる処理を行う。
【００３０】
図４は，紛失防止に使用する紛失防止タグ３のタグ識別子を設定する画面を説明する図である。紛失防止に係るメニューの中から，紛失防止タグ３の設定を行うメニューが選択されると，携帯端末２のタグ設定部２１が起動し，携帯端末２のタグ設定部２１は，まず，所有者２ａが紛失防止に使用する紛失防止タグ３のタグ識別子を設定する画面をタッチパネル部２５に表示して，所有者２ａが紛失防止に使用する紛失防止タグ３のタグ識別子を取得する。
【００３１】
図４（ａ）で図示した画面２１０は，紛失防止に使用する紛失防止タグ３のタグ識別子を設定する画面で，図４（ａ）で図示した画面２１０には，所有者２ａが紛失防止に使用する紛失防止タグ３のタグ識別子に対応する文字列２１０ａと，紛失防止タグ３を検索するときに選択するボタンオブジェクト２１０ｂと，次の画面に進むためのボタンオブジェクト２１０ｃが表示されている。
【００３２】
図４（ｂ）で図示した画面２１１は，紛失防止タグ３を検索する画面である。図４（ｂ）で図示した画面２１１は，携帯端末２の無線通信部２２が受信したタグ識別子のリスト２１１ａと，図４（ａ）で図示した画面２１０に戻るためのボタンオブジェクト２１１ｂが表示されている。
【００３３】
図４（ａ）で図示した画面２１０において，紛失防止タグ３を検索するときに選択するボタンオブジェクト２１０ｂが選択されると，携帯端末２のタグ設定部２１は，携帯端末２の無線通信部２２を作動させ，携帯端末２の無線通信部２２が受信したタグ識別子のリストをタッチパネル部２５に表示する。なお，携帯端末２の無線通信部２２が受信するタグ識別子は，電源スイッチ３２が「ＯＮ」になっており，かつ，無線通信の有効範囲内にある紛失防止タグ３のタグ識別子（ここでは，「ＡＢＣ＿ｔａｇ００１」等）になる。また，紛失防止に使用する紛失防止タグ３のタグ識別子は，タグ識別子のリスト２１１ａの中からタッチパネル部２５を利用して所有者２ａが選択したタグ識別子（ここでは，「ＡＢＣ＿ｔａｇ００１」）になり，ボタンオブジェクト２１１ｂが選択されると，携帯端末２のタグ設定部２１は，タッチパネル部２５に表示する画面を図４（ａ）で図示した画面２１０に戻し，所有者２ａが選択したタグ識別子を図４（ａ）で図示した画面２１０に表示する。
【００３４】
紛失防止に使用する紛失防止タグ３のタグ識別子を所有者２ａが選択した後，図４（ａ）で図示した画面２１０のボタンオブジェクト２１０ｃが選択されると，携帯端末２のタグ設定部２１は，紛失防止タグ３を用いて紛失を管理する貴重品３ａを設定する画面をタッチパネル部２５に表示する。
【００３５】
図５は，紛失を管理する貴重品３ａを設定する画面を説明する図である。図５で図示した画面２１２では，図４（ｂ）で図示した画面２１１を用いて所有者２ａが選択した紛失防止タグ３のタグ識別子に対応する文字列２１２ａが表示され，更に，貴重品３ａの貴重品名を設定する入力フォーム２１２ｂと，貴重品３ａの写真２１２ｃと，カメラ部２６を作動させるボタンオブジェクト２１２ｄと，次の画面に進むボタンオブジェクト２１２ｅが表示されている。
【００３６】
携帯端末２のタグ設定部２１は，貴重品名を設定する入力フォーム２１２ｂに入力された文字を貴重品３ａの貴重品名として取得する。また，携帯端末２のタグ設定部２１は，カメラ部２６を作動させるボタンオブジェクト２１２ｄが選択されるとカメラ部２６を作動させ，カメラ部２６が撮影した写真を貴重品３ａの写真として取得し，図５の画面２１２に表示する。なお，携帯端末２がアルバムの機能に対応している場合，アルバム内の写真の中から貴重品３ａの写真を選択できるようにしてもよい。
【００３７】
紛失防止タグ３を用いて管理する貴重品３ａの貴重品名と貴重品３ａの写真が設定された後，図５のボタンオブジェクト２１２ｅが選択されると，携帯端末２のタグ設定部２１は，紛失発生通知を投稿するＳＮＳ４を設定する画面をタッチパネル部２５に表示する。
【００３８】
図６は，紛失発生通知を投稿するＳＮＳ４を設定する画面を説明する図で，図７で図示した画面２１４は，紛失発生通知を投稿するＳＮＳ４のアカウント情報を設定する画面を説明する図である。
【００３９】
図６で図示した画面２１３では，図４（ｂ）で図示した画面２１１を用いて所有者２ａが選択した紛失防止タグ３のタグ識別子に対応する文字列２１３ａが表示され，更に，貴重品３ａが紛失したときに紛失発生通知を投稿するＳＮＳ４を選択する選択フォーム２１３ｂと，紛失発生通知のテンプレートを設定するフォーム２１３ｃ，ｄ，ｅ，ｆと，次の画面に進むボタンオブジェクト２１３ｇが表示されている。
【００４０】
図６で図示した画面２１３では，紛失発生通知を投稿するＳＮＳ４を選択する選択フォーム２１３ｂとして，チェックボックス付きのＳＮＳ４のリストが表示され，チェックボックスを利用して，紛失発生通知を投稿するＳＮＳ４を選択できるようになっている。
【００４１】
図６の選択フォーム２１３ｂを利用して選択されたＳＮＳ４のアカウント情報が携帯端末２に設定されていない場合，携帯端末２のタグ設定部２１は，図７で図示した画面２１４をタッチパネル部２５に表示させて，図６の画面２１３にて選択されたＳＮＳ４のアカウント情報を所有者２ａに設定させる。
【００４２】
図７で図示した画面２１４では，図６の画面２１３にて選択されたＳＮＳ４において所有者２ａが使用しているアカウント名を設定する入力フォーム２１４ａと，所有者２ａが使用しているアカウント名にログインするためのパスワードを設定する入力フォーム２１４ｂと，図６の画面２１３に戻るときに選択されるボタンオブジェクト２１４ｃが表示されている。
【００４３】
所有者２ａが使用しているアカウント名を設定する入力フォーム２１４ａと，所有者２ａが使用しているアカウント名にログインするためのパスワードを設定する入力フォーム２１４ｂに所定の情報が入力された後，図７のボタンオブジェクト２１４ｃが選択されると，携帯端末２のタグ設定部２１は，図６の画面２１３にて選択されたＳＮＳ４のアカウント情報としてこれらの情報を記憶し，タッチパネル部２５に表示する画面を図６の画面２１３に戻す。
【００４４】
図６で図示した画面２１３では，紛失発生通知のテンプレートを設定できるように，紛失発生通知に含ませるテキストを設定する入力フォーム２１３ｃと，紛失が発生した時の位置情報を通知するときに選択するチェックボックス２１３ｄと，紛失した貴重品３ａの写真を通知するときに選択するチェックボックス２１３ｅが表示されている。加えて，紛失した貴重品３ａを所有者２ａが発見した際，紛失した貴重品３ａの発見とお礼を伝える発見御礼通知をＳＮＳ４に投稿できるように，図６で図示した画面２１３では，発見御礼通知に含ませるテキストを設定する入力フォーム２１３ｆが表示されている。
【００４５】
携帯端末２のタグ設定部２１は，入力フォーム２１３ｃに入力された紛失発生通知のテキストと，入力フォーム２１３ｆに入力された発見御礼通知のテキストと，チェックボックス２１３ｄの選択結果である位置通知フラグと，チェックボックス２１３ｅの選択結果である写真通知フラグを紛失発生通知のテンプレートとして取得する。なお，図６の入力フォーム２１３ｃ，ｆ内に記載されている「＜貴重品名＞」は，図５の画面２１２で取得した貴重品名を挿入することを意味するタグである。
【００４６】
紛失発生通知を投稿するＳＮＳ４や紛失発生通知の内容が設定された後，図６のボタンオブジェクト２１３ｇが選択されると，携帯端末２のタグ設定部２１は，紛失発生通知を投稿する公共機関６を設定する画面をタッチパネル部２５に表示する。
【００４７】
図８は，紛失発生通知を投稿する公共機関６を設定する画面を説明する図である。図８で図示した画面２１５では，図４の画面により設定された紛失防止タグ３のタグ識別子に対応する文字列２１５ａに加え，紛失発生通知を送信する公共機関６（ここでは，警察）を選択するチェックボックス２１５ｂと，紛失防止タグ３の設定を完了するときに選択するボタンオブジェクト２１５ｃが表示されている。携帯端末２のタグ設定部２１は，紛失発生通知を送信する公共機関６を選択するチェックボックス２１５ｂの選択結果を公共機関通知フラグとして取得する。
【００４８】
図８のボタンオブジェクト２１５ｃが選択されると，携帯端末２のタグ設定部２１は，図４の画面により設定された紛失防止タグ３のタグ識別子に関連付けて、図５から８の画面により設定された情報を紛失防止タグ情報として携帯端末２のメモリに記憶する。なお，携帯端末２のメモリに記憶する紛失防止タグ情報には，貴重品名と写真，紛失発生通知を投稿するＳＮＳ４，紛失発生通知のテンプレート（紛失発生通知のテキスト，発見御礼通知のテキスト，位置通知フラグ，写真通知フラグ），および，公共機関通知フラグが含まれる。
【００４９】
ここから，携帯端末２の紛失監視部２０について説明する。携帯端末２の紛失監視部２０は，携帯端末２にインストールされた紛失防止に係るアプリケーションで実現される機能で，貴重品３ａに取り付けられた紛失防止タグ３と無線接続し，紛失防止タグ３との無線接続が切断すると，貴重品３ａの紛失を知らせるアラームを報知し，移動体通信部２３を利用して，無線接続が切断した紛失防止タグ３の紛失防止タグ情報で示されるＳＮＳ４へ紛失発生通知を投稿する処理を実行する。
【００５０】
図９は，本実施形態に係る紛失防止システム１で実行される処理を説明する図である。紛失防止タグ３を用いて貴重品３ａの紛失を防止する際，所有者２ａは，貴重品３ａに取り付けた紛失防止タグ３の電源スイッチ３２を操作して，紛失防止タグ３の電源を「ＯＮ」にする（Ｓ１）。紛失防止タグ３の電源が「ＯＮ」になると，紛失防止タグ３の制御部３０が作動し，紛失防止タグ３の制御部３０は，紛失防止タグ３の無線通信部３１を利用して，紛失防止タグ３が記憶しているタグ識別子を発信する（Ｓ２）。
【００５１】
所有者２ａが，紛失防止に係るアプリケーションを起動させた後，紛失を監視するメニューを選択することで，携帯端末２の紛失監視部２０は起動し，携帯端末２の紛失監視部２０は，携帯端末２の無線通信部２２を利用して，携帯端末２の近傍にある紛失防止タグ３を探索する処理を行う（Ｓ３）。具体的に，携帯端末２の紛失監視部２０は，紛失防止タグ３を探索する処理として，携帯端末２の無線通信部２２を利用して，紛失防止タグ３が発信しているタグ識別子を受信する処理を行う。
【００５２】
携帯端末２の紛失監視部２０は，携帯端末２の近傍にある紛失防止タグ３を検出すると（Ｓ４），携帯端末２の無線通信部２２を利用して，検出した紛失防止タグ３との無線接続を確立する無線接続確立処理を実行して，携帯端末２と紛失防止タグ３は無線接続する（Ｓ５）。なお，Ｂｌｕｅｔｏｏｔｈ（登録商標）を用いる場合，携帯端末２と紛失防止タグ３が無線接続する前に，通信手順を記した接続プロファイルを紛失防止タグ３から取得する処理が行われる。
【００５３】
携帯端末２と紛失防止タグ３が無線接続すると，携帯端末２の紛失監視部２０は，紛失防止タグ３との無線接続を監視する処理を行い（Ｓ６），無線接続が切断した紛失防止タグ３があると，無線接続が切断した紛失防止タグ３のタグ識別子を紛失物のタグ識別子として携帯端末２のＲＡＭに記憶させた後，貴重品３ａの紛失を知らせるアラームを音や振動で報知する処理を行う（Ｓ７）。例えば，携帯端末２の紛失監視部２０は，携帯端末２の無線通信部２２を利用して，タグ識別子の送信を要求するコマンドを所定間隔で紛失防止タグ３に送出することで，紛失防止タグ３との無線接続を監視し，タグ識別子が受信できなくなると，紛失防止タグ３との無線接続が切断したと判定する。
【００５４】
次に，携帯端末２の紛失監視部２０は，無線接続が切断した紛失防止タグ３のタグ識別子に関連付けられた紛失防止タグ情報を検索する（Ｓ８）。この紛失防止タグ情報を検索すると，携帯端末２の紛失監視部２０は，検索した紛失防止タグ情報に含まれるテンプレートに基づく紛失発生通知を生成した後（Ｓ９），移動体通信部２３を利用して，検索した紛失防止タグ情報で示されるＳＮＳ４へ紛失発生通知を投稿して（Ｓ１０），この手順は終了する。
【００５５】
ＳＮＳ４へ投稿する紛失発生通知には，検索した紛失防止タグ情報のテンプレートに含まれる紛失発生通知のテキストが含まれる。また，このテンプレートにおいて位置通知フラグが「ＯＮ」の場合，携帯端末２の紛失監視部２０は，位置計測部２４を作動させ，位置計測部２４から取得した位置情報を紛失発生通知に含ませる。また，このテンプレートにおいて写真通知フラグが「ＯＮ」の場合，携帯端末２の紛失監視部２０は，検索した紛失防止タグ情報に含まれる写真を紛失発生通知に含ませる。
【００５６】
検索した紛失防止タグ情報に基づく紛失発生通知を投稿するＳＮＳ４は，検索した紛失防止タグ情報に含まれるＳＮＳ４になり，紛失発生通知をＳＮＳ４へ投稿する際，携帯端末２の紛失監視部２０は，検索した紛失防止タグ情報に含まれるアカウント情報を用いてＳＮＳ４にログインする。
【００５７】
また，検索した紛失防止タグ情報に含まれる公共機関通知フラグが「ＯＮ」の場合，携帯端末２の紛失監視部２０は，紛失発生通知を所定の公共機関６へ送信する。
【００５８】
図１０は，発見御礼通知をＳＮＳ４に投稿する処理を説明する図で，発見御礼通知をＳＮＳ４に投稿する処理は，図９のＳ１０が実行された後，紛失した貴重品３ａを所有者２ａが発見した時に実行される。
【００５９】
紛失した貴重品３ａを所有者２ａが発見すると，所有者２ａが発見した貴重品３ａに取り付けられ，紛失防止タグ３が記憶しているタグ識別子を発信している紛失防止タグ３は，所有者２ａの近傍に存在することになる（Ｓ２０）。紛失した貴重品３ａを発見した所有者２ａが，発見御礼通知を投稿するメニューを選択すると，携帯端末２の紛失監視部２０は，携帯端末２の無線通信部２２を利用して，携帯端末２の近傍にある紛失防止タグ３を探索する処理を行う（Ｓ２１）。携帯端末２の紛失監視部２０は，携帯端末２の近傍にある紛失防止タグ３を検出すると（Ｓ２２），携帯端末２の無線通信部２２を利用して，検出した紛失防止タグ３との無線接続を確立する無線接続確立処理を実行して，携帯端末２と紛失防止タグ３は無線接続する（Ｓ２３）。携帯端末２の紛失監視部２０は，携帯端末２と無線接続した紛失防止タグ３のタグ識別子が紛失物のタグ識別子と一致する場合，紛失物のタグ識別子に関連付けられた紛失防止タグ情報を検索し（Ｓ２４），検索した紛失防止タグ情報に含まれるテンプレートに基づく発見御礼通知を生成した後（Ｓ２５），移動体通信部２３を利用して，検索した紛失防止タグ情報で示されるＳＮＳ４へ発見御礼通知を投稿して（Ｓ２６），この手順は終了する。
【００６０】
このように，本実施形態に係る紛失防止システム１によれば，携帯端末２は，紛失防止タグ３との無線接続が切断すると，貴重品３ａの紛失を知らせるアラームを報知すると共に，貴重品３ａを紛失したことを知らせる紛失発生通知を，所有者２ａが利用しているＳＮＳ４へ投稿するため，所有者２ａに加え，所有者２ａの家族や友人などに貴重品３ａの紛失発生を通知できる。また，貴重品３ａの写真を紛失発生通知に含ませることで，紛失発生通知を見た人は，紛失した貴重品３ａが一目でわかるため，紛失した貴重品３ａを発見し易くなる。また，紛失防止タグ３との無線接続が切断した位置の位置情報を紛失発生通知に含ませることで，紛失発生通知を見た人は，貴重品３ａを紛失した場所がわかるため，紛失した貴重品３ａを発見し易くなる。更に，所有者２ａが利用しているＳＮＳ４に加え，公共機関６へ紛失発生通知を送信することで，紛失した貴重品３ａをより発見し易くなる。
【符号の説明】
【００６１】
１    紛失防止システム
２    携帯端末
２０  紛失監視部
２１  タグ設定部
２２  無線通信部
２３  移動体通信部
２４  位置計測部
２５  タッチパネル部
２６  カメラ部
２ａ  所有者
３    紛失防止タグ
３０  制御部
３１  無線通信部
３２  電源スイッチ
３ａ  貴重品
４    ＳＮＳ
６    公共機関
【図１】
0006665656.tif 000002
【図２】
0006665656.tif 000003
【図３】
0006665656.tif 000004
【図４】
0006665656.tif 000005
【図５】
0006665656.tif 000006
【図６】
0006665656.tif 000007
【図７】
0006665656.tif 000008
【図８】
0006665656.tif 000009
【図９】
0006665656.tif 000010
【図１０】
0006665656.tif 000011